(57)【要約】【課題】軽量で大きな耐荷力を有するとともに、部材を製作するための加工や端部を他の部材と接合するための加工が容易となる木質部材を提供する。【解決手段】木質材料からなる矩形断面の本体部２と、本体部の下面に接合され、本体部の両側に張り出した木質の板状の部材からなるフランジ部３と、を有する。フランジ部は本体部の軸線方向における中央部を含む該本体部の全長より短い範囲に設けられる。該フランジ部の軸線方向における両端部は、端面の位置に向かって張り出し長が徐々に減少する。フランジ部の端部には、割れが生じるのを抑制する金属の拘束部材４が取り付けられている。フランジ部は、本体部との当接面に塗布された接着剤と、フランジ部を貫通する複数のビス５とによって本体部と接合されており、フランジ部の両端部における所定の範囲では、接着剤が塗布されず、ビスのみで接合されている。【選択図】図１
2019065670.tif 000002
【特許請求の範囲】
【請求項１】
木質材料からなる矩形断面の本体部と、
前記本体部の下面に接合され、前記本体部の両側に張り出した木質の板状の部材からなるフランジ部と、を有し、
前記フランジ部は、前記本体部の軸線方向における中央部を含む該本体部の全長より短い範囲に設けられ、
該フランジ部の軸線方向における両端部は、端面の位置に向かって張り出し長が徐々に減少するものであることを特徴とする木質部材。
【請求項２】
前記フランジ部が設けられた範囲は、前記本体部の全長の３０％から９０％までの範囲であることを特徴とする請求項１に記載の木質部材。
【請求項３】
前記フランジ部を形成する板状の部材の端部には、該板状の部材に軸線方向の割れが生じるのを抑制する金属の拘束部材が取り付けられていることを特徴とする請求項１又は請求項２に記載の木質部材。
【請求項４】
前記拘束部材は、前記フランジ部の一方の側面から端面又は下面を経て反対側の側面に連続するように当接して固定された鋼板材からなり、
該鋼板材に切り込み線を設けて該鋼板材の板面より突出するように折り曲げられた複数の爪状体を有し、
該爪状体を前記フランジ部に貫入して該フランジ部に固定されていることを特徴とする請求項３に記載の木質部材。
【請求項５】
前記フランジ部は、前記本体部との当接面に塗布された接着剤と、該フランジ部を貫通して前記本体部にねじ込まれた複数のビスとによって前記本体部と接合されており、
前記フランジ部の軸線方向における両端部のあらかじめ定められた範囲では、前記接着剤が塗布されず、前記ビスのみで接合されていることを特徴とする請求項１から請求項４までのいずれかに記載の木質部材。
【請求項６】
前記フランジ部は、該フランジ部を貫通して前記本体部にねじ込まれた複数のビスを用いて前記本体部と接合されており、
前記フランジ部の軸線方向における両端部のあらかじめ定められた範囲では、該フランジ部の端面の位置に向かって、前記ビスをねじ込む軸線方向の間隔が拡大されていることを特徴とする請求項１から請求項４までのいずれかに記載の木質部材。
【発明の詳細な説明】
【技術分野】
【０００１】
本発明は、木造建築物や木造構造物等で横架材として用いられる木質部材に係り、特に大支間の梁が必要となる場合に好適に用いることができる木質部材に関するものである
【背景技術】
【０００２】
木造建築物等で用いられる横架材は、矩形断面の木材が一般的に用いられている。しかし、大きな支間に架け渡すためには梁の高さを大きくする必要が生じ、重量も増大する。このため、特許文献１には上下にフランジ部を設け、これらを薄いウェブによって接合した、断面がほぼＩ型となった木質構造材が提案されている。
また、特許文献２には、根太の下側にフランジを設け、矩形断面の根太の上面には合板からなる床材を支持する構造が開示されている。
【先行技術文献】
【特許文献】
【０００３】
【特許文献１】特開平８−１５８５３７号公報
【特許文献２】実開平２−１２１５１３号公報
【発明の概要】
【発明が解決しようとする課題】
【０００４】
しかし、特許文献１に記載の木質構造材では、上下のフランジ部によって大きな曲げ剛性を有するものとなるが、支間が大きい横架材としたときには、上下のフランジに大きな断面の部材を用いることになる。そして、これらを薄いウェブで接合するものであり、ウェブとフランジとを強固に接合するための作業に多くの工数が必要となる。
また、２つのフランジを接合するウェブが薄く、せん断力が大きく作用する両端部を他の部材に接合して支持するときに、端部の補強が必要となることがある。
【０００５】
一方、特許文献２に記載されている構造では、根太の全長にわたって下面にフランジが設けられており、根太の曲げ剛性を大きくすることができるが、大きな支間に用いると重量が増大する。また、端部を他の部材と接合する構造が複雑となり、架設作業の効率が悪くなる。
【０００６】
本発明は、上記のような事情に鑑みてなされたものであり、その目的は、軽量で大きな耐荷力を有するとともに、部材を製作するための加工や端部を他の部材と接合するための加工が容易となる木質部材を提供することである。
【課題を解決するための手段】
【０００７】
上記課題を解決するために、請求項１に係る発明は、  木質材料からなる矩形断面の本体部と、  前記本体部の下面に接合され、前記本体部の両側に張り出した木質の板状の部材からなるフランジ部と、を有し、  前記フランジ部は、前記本体部の軸線方向における中央部を含む該本体部の全長より短い範囲に設けられ、  該フランジ部の軸線方向における両端部は、端面の位置に向かって張り出し長が徐々に減少するものである木質部材を提供する。
【０００８】
両端で支持される横架材には支間の中央部に大きな曲げモーメントが発生する。上記木質部材では、曲げモーメントが大きく発生する支間の中央部に限定してフランジ部が設けられているので、部材の重量を低減することができるとともに、少ない木質材料の使用で曲げに対して大きな耐荷力を有するものとなる。また、フランジ部によって有効に曲げ剛性が増大しており、横架材として使用したときの振動を抑制することができる。さらに、上記フランジ部の軸線方向の端部は、徐々に幅が縮小されているので、断面性能の急変にともなう応力度の集中が回避され、フランジ部の割れが抑制される。
一方、フランジ部が軸線方向の限定された範囲に設けられて端部は断面が矩形の本体部によって支持されるので、せん断力に対して十分な耐荷力を有するとともに、他の部材と容易に接合することが可能となる。
【０００９】
請求項２に係る発明は、請求項１に記載の木質部材において、  前記フランジ部が設けられた範囲は、前記本体部の全長の３０％から９０％までの範囲とする。
【００１０】
この木質部材では、横架材として用いたときの曲げモーメントが大きく発生する範囲を有効に補強することができるとともに、たわみを有効に低減することができる。
【００１１】
請求項３に係る発明は、請求項１又は請求項２に記載の木質部材において、  前記フランジ部を形成する板状の部材の端部には、該板状の部材に軸線方向の割れが生じるのを抑制する金属の拘束部材が取り付けられているものとする。
【００１２】
フランジ部に引張応力度が生じ、この引張応力度がフランジ部の軸線方向における端部で本体部に伝達されるときに、張り出したフランジ部から幅方向の中央にある本体部への応力度の流れが生じる。この引張応力度が幅方向の成分を有することによってフランジ部を構成する板材の端部に軸線方向の割れが生じやすくなる。本発明の木質部材では、拘束部材がフランジ部の幅方向に作用する引張力に抵抗し、幅方向に広がるのを拘束するので、上記割れを抑えることができる。
【００１３】
請求項４に係る発明は、請求項３に記載の木質部材において、  前記拘束部材は、前記フランジ部の一方の側面から端面又は下面を経て反対側の側面に連続するように当接して固定された鋼板材からなり、  該鋼板材に切り込み線を設けて該鋼板材の板面より突出するように折り曲げられた複数の爪状体を有し、  該爪状体を前記フランジ部に貫入して該フランジ部に固定されているものとする。
【００１４】
この木質部材では、拘束部材の爪状体をフランジ部の端部に圧入又は打ち込むことによって簡単に取り付けることができるとともに、有効にフランジ部の割れを抑制することができる。
【００１５】
請求項５に係る発明は、請求項１から請求項４までのいずれかに記載の木質部材において、  前記フランジ部は、前記本体部との当接面に塗布された接着剤と、該フランジ部を貫通して前記本体部にねじ込まれた複数のビスとによって前記本体部と接合されており、  前記フランジ部の軸線方向における両端部のあらかじめ定められた範囲では、前記接着剤が塗布されず、前記ビスのみで接合されているものとする。
【００１６】
本体部とフランジ部との間に接着剤が塗布された領域では、本体部とフランジ部との軸線方向の相対的変位が強く拘束され、接着剤が塗布されずにビスのみで接合されている領域では本体部とフランジ部との間で微小なずれが生じ得るものとなっている。これにより、フランジ部に生じた引張応力度がフランジ部の端部で集中して本体部に伝達されるのが緩和され、端部付近の接着剤が塗布されていない領域から徐々に本体部に引張応力度が移行する。したがって、フランジ部の端部で幅方向に生じる引張応力度が緩和され、フランジ部の割れを回避することが可能となる。
【００１７】
請求項６に係る発明は、請求項１から請求項４までのいずれかに記載の木質部材において、  前記フランジ部は、該フランジ部を貫通して前記本体部にねじ込まれた複数のビスを用いて前記本体部と接合されており、  前記フランジ部の軸線方向における両端部のあらかじめ定められた範囲では、該フランジ部の端面の位置に向かって、前記ビスをねじ込む軸線方向の間隔が拡大されているものとする。
【００１８】
この木質部材では、本体部とフランジ部とを接合するビスの間隔によって、本体部とフランジ部との拘束力が変動する。つまり、軸線方向に間隔が大きい端部では、間隔が小さい支間の中央部より双方間の微小なずれが生じる程度が大きくなる。したがって、端部付近では、フランジ部に生じた引張応力度が本体部に徐々に伝達され、フランジ部の端部に生じる幅方向の引張応力度が緩和される。これにより、フランジ部の端部に割れが生じるのを抑制することができる。
【発明の効果】
【００１９】
以上説明したように、本発明の木質部材では、軽量で大きな耐荷力を有するとともに、加工や他の部材との接合が容易となる。
【図面の簡単な説明】
【００２０】
【図１】本発明の一実施形態である木質部材の側面図、平面図、底面図及び正面図である。
【図２】図１に示す木質部材の拡大正面図である。
【図３】図１に示す木質部材の底面の一部拡大図である。
【図４】図１に示す木質部材のフランジ部の端部を示す拡大底面図である。
【図５】図４中に示すＡ−Ａ線における断面図である。
【図６】フランジ部の端部に取り付けられる拘束部材の取り付け前の状態を示す平面図及び正面図である。
【図７】フランジ部の端面を示す拡大正面図である。
【図８】図４中に示すＢ−Ｂ線における断面図である。
【図９】図１に示す木質部材を横架材として柱と接合する部分の概略斜視図である。
【図１０】図１に示す木質部材を横架材として他の梁と接合する部分の概略斜視図である。
【図１１】図１に示す木質部材に荷重を載荷したときのたわみの変化を示す概略図である。
【図１２】本発明の他の実施形態である木質部材の底面の一部拡大図である。
【発明を実施するための形態】
【００２１】
以下、本発明の実施の形態を図に基づいて説明する。
図１は、本発明の一実施形態である木質部材の側面図、平面図、底面図及び正面図である。また、図２は拡大した正面図であり、図３は底面図の一部を拡大した図である。
この木質部材１は、主に横架材として用いられるものであり、小断面の木材を貼り合わせて形成された集成材からなる本体部２と、板状の集成材からなるフランジ部３とを有するものである。
上記本体部２は、水平方向の寸法より上下方向の寸法が大きい矩形断面を有するものであり、両端部が他の部材、例えば他の横架材又は柱に支持されるものである。つまり、本体部２は単独で他の梁や柱と接合して少なくとも横架材の端部に作用するせん断力を他の部材に伝達することができる断面寸法を有するものである。本実施の形態では断面の縦方向の寸法が４５０ｍｍ、横方向の寸法が１０５ｍｍのものを用いており、軸線方向に９ｍの長さを有するものである。
【００２２】
上記フランジ部３は、横方向に架け渡された本体部２の底面に、軸線方向に沿って板状の集成材を接合したものである。このフランジ部３の幅は本体部２の幅より大きく、本体部２の両側方に等しく張り出している。このフランジ部３は本体部２の長さより短い範囲に設けられており、本体部２の両端部はフランジ部３が設けられていない。そして、フランジ部３が設けられた範囲の両端部では、フランジ部３の幅がフランジ部３の途切れる端縁３ａに向かって徐々に縮小され、端縁３ａでは本体部２の幅とほぼ等しくなっている。
本実施の形態では、フランジ部３として幅が６００ｍｍ、厚さが３８ｍｍの板材が用いられており、本体部２の支間の中央部分における６ｍの範囲に設けられている。すなわち、本体部２の長さの２／３の範囲がフランジ部３を有するものとなっている。そして、フランジ部３が設けられた範囲の端部では、本体部２の軸線方向とほぼ３０°の角度で幅を縮小するものである。
【００２３】
また、フランジ部３を形成する集成材の端部には、木目の方向に割れが生じるのを抑制する拘束部材４が取り付けられている。本実施の形態ではフランジ部３を形成する集成材として、本体部２の軸線方向に木目が伸びる小断面部材を集成したものを用いており、端部に割れが生じるおそれがある。上記拘束部材４は、金属からなる部材であり、フランジ部を構成する板状の集成材に取り付けて、割れを生じさせることがある幅方向の引張力に抵抗するものである。なお、拘束部材４の詳細については後述する。
【００２４】
本体部２とフランジ部３との接合には、接着剤とビス５とが併用されている。接着剤は、本体部２とフランジ部３との当接面の全域に塗布されるのではなく、フランジ部３の幅が減少する範囲を除外した等幅の領域、すなわち図１中に符号Ｃで示すに範囲に限定して用いられている。一方、ビス５は本体部２の軸線方向にあらかじめ定められた等間隔でフランジ部３が設けられた範囲のほぼ全域に用いられ、フランジ部３を構成する板材を貫通して本体部２にねじ込まれている。したがって、フランジ部３の等幅の範囲では接着剤とビス５との双方によって本体部２とフランジ部３とが強固に接合されるとともに、フランジ部３の幅が縮小される範囲ではビス５のみによって本体部２とフランジ部３が接合されている。
【００２５】
本体部２とフランジ部３とを接合するビス５は、図４及び図５に示すように、フランジ部３を構成する板材に凹部を形成し、この凹部内からフランジ部３を貫通し、本体部２にねじ込まれている。このビス５の頭部は、鍔状の張り出し部５ａを有するものであり、広い範囲に当接して締め付けることができるものとなっている。また、本実施の形態では、頭部の工具を係合する穴として六角星形のヘックスローブ穴を有するものが用いられている。
なお、上記ビスに代えて、ビスの頭部をワッシャーに係止して締め付けるものを用いることができる。また、ラグスクリュー、釘等フランジ部３と本体部とを強固に接合することができる他の部材を用いることもできる。
【００２６】
上記拘束部材４は、図６に示すように鋼板材を加工したものであり、フランジ部２の端部の底面に当接される台形部分４ａと、フランジ部３の端面に当接され部分４ｂ、本体部２の軸線と３０°の角度を持った両側面に当接される部分４ｃとが連続する矩形部分とからなるものである。底面に当接される台形部分４ａと端面に当接される部分４ｂとの間は、図６中に符号ａで示す折り曲げ線でほぼ９０度に折り曲げられる。また、矩形部分は、端面に当接される部分４ｂと側面に当接される部分４ｃとの間は、図６中に符号ｂ及び符号ｃで示す折り曲げ線でほぼ１２０°の角度となるように折り曲げられる。
【００２７】
この拘束部材４の底面に当接される台形部分４ａ、端面及び側面に当接される部分４ｂ、４ｃのいずれにも、フランジ部３を形成する集成材に貫入する複数の爪状体４ｄが、集成材に当接される範囲に分布して形成されている。この爪状体４ｄは、拘束部材４を形成する鋼板材に貫通する切り込み線を設けて舌片を形成し、この舌片を鋼板材の板面に対してほぼ９０°に曲げ起こして形成されたものである。切り込み線は、所定の長さの２本の平行な線と、これらに鋭利な角度で突き当る線とを含むものとし、２本の平行な線の間で突き合わせるように２つの舌片が形成される。これらの舌片を曲げ起こして、先端の尖った形状の２つの爪状体４ｄとするものである。
【００２８】
上記拘束部材４は、折り曲げ線ａ、ｂ、ｃで折り曲げて、図４及び図７に示すように台形部分４ａがフランジ部３の底面に当接されるとともに、矩形部分がフランジ部３の端面及び側面に当接され、図８に示すように爪状体４ｄがフランジ部３を形成する集成材に貫入される。爪状体４ｄは打撃によって打ち込むものであってもよいし、圧入するものであってもよい。
このように拘束部材４がフランジ部３の端部に取り付けられることによって、フランジ部３を形成する板状の集成材の端部に幅方向の引張力が作用したときにも、該引張力に拘束部材４が抵抗し、フランジ部３を形成する集成材が木目の方向に割れるのが抑制される。
なお、上記拘束部材は、一方の側面に当接される部分から端面に当接される部分及び他方の側面に当接される部分まで連続するものであるが、これに代えて一方の側面に当接される部分から底面に当接される部分及び他方の側面に当接される部分まで連続するものであってもよい。
【００２９】
以上に説明した木質部材１は、横架材として例えば端部を次のように他の部材と接合することができる。
図９は、断面が矩形で扁平な形状の柱１１の上端面に本実施の形態の木質部材１を載せ架け、曲げモーメントの伝達が可能に接合したものである。柱１１の断面形状は、木質部材１の軸線方向に長辺を有する矩形となっており、この柱１１と上記木質部材１とによってラーメン構造を形成している。
柱１１と木質部材１との接合は、例えば次のような構造を採用することができる。
柱１１の上端部には、断面の長辺方向の端部に切り欠き１１ａを設け、該切り欠き内から鉛直方向にスクリュー部材（図示しない）をねじ込む。また、横架材である木質部材１の端部の対応する２か所にも鉛直方向にスクリュー部材１２をねじ込む。そして、スクリュー部材の端面から軸線方向に設けられたネジ穴にねじ込まれたボルトによってそれぞれのスクリュー部材を接合金具１３に接合し、柱１１と横架材である木質部材１とを接合金具１３を介して接合するものである。
【００３０】
また、図１０に示すように他の木質部材からなる梁１４と接合することもできる。
この接合構造では、他の木質部材である梁１４の側面に梁受け金具（図示しない）を固定しておき、この梁受け金具の張り出し板を本実施の形態の木質部材１の端部に形成したスリット１ａに挿入する。そして、側方から複数のドリフトピン１５を挿通して木質部材１の端部と梁受け金具とを結合し、木質部材１の端部を支持するものである。
このように本実施の形態の木質部材１は端部では矩形の断面となっており、通常に広く用いられる矩形断面の横架材と同じように他の部材と接合することができるものとなっている。
【００３１】
以上に説明したように上記木質部材１では、フランジ部３が本体部２の全長より短い範囲に設けられて、他の部材と簡単に接合して用いることができる。そして、曲げモーメントが大きく作用する支間の中央部付近ではフランジ部３が設けられて曲げ剛性が大きくなっており、曲げモーメントに対して大きな耐力を有するとととともに、たわみを小さく抑えることができる。
また、フランジ部３の端部付近では、フランジ部３の張り出し長が縮小されており、図３中に矢印で示すように、フランジ部３に作用する引張応力度が徐々に本体部２に移行され、フランジ部３の端縁付近に作用する引張応力度の幅方向の成分を小さく抑えることができる。
さらに、フランジ部３の幅が縮小される範囲では、本体部２とフランジ部３との接合に接着剤が用いられていない。したがって、フランジ部３が等幅の部分では接着剤とビス５とによって本体部２とフランジ部３との軸線方向のずれが生じないように強固に接合されるのに対し、接着剤が用いられずにビス５のみで接合されている部分では、本体部２とフランジ部３との間に微小なずれが生じる。これによってフランジ部３から本体部２への引張力の移行はフランジ部３の端縁より離れた位置から徐々に生じ、端縁付近で引張応力度の幅方向の成分が小さく抑えられる。
したがって、フランジ部３を構成する板状の集成材に軸線方向の割れが生じるのを抑制することが可能となる。
【００３２】
図１１は、上記木質部材１に荷重を載荷したときの荷重とたわみ量との関係を示すものである。フランジ部３の割れが抑止されると荷重の増加に従って連続的にたわみが増大するものとなるが、フランジ部３に割れが生じると、曲げ剛性が急激に低下することがある。油圧等による載荷試験では、図１１中の破線で示すように割れた生じたときに荷重が一旦急減する。本発明の木質部材１では、フランジ部３の割れよる曲げ剛性の低下が抑止され、安定した部材とすることができる。
【００３３】
また、この木質部材１では、矩形断面の本体部２の底面にフランジ部３を接合することによって曲げ剛性を増大しており、簡単な作業で曲げ剛性の大きな部材とすることできる。また、上部にはフランジ等が設けられず、本体部の上面及び側面が露出しているので、床材の取り付け、根太の接合等を容易に行うことができる。
【００３４】
図１２は、本発明の他の実施形態である木質部材の底面の一部を示す拡大図である。
この木質部材２１は、図１から図８までに示す木質部材１と同様の本体部２２、フランジ部２３及び拘束部材２４を有するものであるが、本体部２２とフランジ部２３との接合方法が異なるものである。
この木質部材２１では、本体部２２とフランジ部２３との接合に接着剤は用いられておらず、ビス２５を用いて接合されている。そして、図１２に示すようにフランジ部２３の端部において、ビス２５をねじ込む間隔が端縁に向かって徐々に拡大するものとなっている。
このような木質部材２１では、曲げモーメントが作用してフランジ部２３に引張応力度が生じたときに、本体部２２とフランジ部２３とを互い拘束する力が端縁に向かって徐々に減少し、本体部２２とフランジ部２３との微小なずれが増大する。これにより、フランジ部２３に作用する引張力は、フランジ部２３の端縁に向かって徐々に本体部２２に移行し、フランジ部２３の端縁付近に割れが生じるのを抑制することができる。
【００３５】
以上に説明した実施の形態では、本体部の全長に対してフランジ部が２／３の範囲に設けられているが、フランジ部を設ける範囲は適宜に変更することができる。
木質部材の全長にわたって等分布の荷重が作用した場合を考えると、中央部の約３０％の領域にフランジ部を設けることによって、曲げモーメントの最大となる領域を補強することができ、これ以上の範囲に設けるのが望ましい。また、中央部の７０％もしくは８０％程度の範囲にフランジ部を設けると、フランジ部が設けられていない領域の曲げモーメントが支間中央に作用する最大曲げモーメントのほぼ１／２以下となり、フランジ部の端縁を引張応力度が十分に小さい領域に設けることができる。これにより、フランジ部から本体部への応力度の流れが円滑に行われ、フランジ部となる板材に割れが生じるおそれを顕著に低減することができる。
【００３６】
一方、フランジ部を大きな曲げモーメントが生じる領域に設けることによって荷重載荷時のたわみ量を有効に低減することができる。木質部材の全長にわたって等分布の荷重が作用した場合を考えると、支間の中央部において全長の４０％の領域にフランジ部を設けることにより、全長にわたってフランジ部を設けたときのたわみ低減効果の１／２程度のたわみ低減効果を得ることができる。また、中央部の５０％程度の領域にフランジ部を設けることによって、全長にわたってフランジ部を設けたときのたわみ低減効果の７割程度のたわみ低減効果を得ることができる。したがって、少ない板材の使用で有効にたわみを低減することができる。また、全長の９０％の領域にフランジ部を設けることによって全域にフランジ部を設けるのとほぼ同等のたわみ低減効果が得られる。
したがって、フランジ部を設ける範囲は本体部の全長の約３０％から約９０％までの範囲の設けるのが望ましく、設ける範囲をより限定するときには約４０％から７０％もしくは８０％程度までの範囲に設けるのが望ましい。
【００３７】
なお、本発明は以上に説明した実施の形態の他に、木質部材の支間長、断面寸法、フランジ幅を徐々に低減する範囲、拘束部材の形状および寸法等を、本発明の範囲内で適宜に変更して実施をすることができる。また、上記実施の形態では、本体部及びフランジ部に集成材を用いているが、一つの木材から成形した製材、薄い木材を木目の方向がほぼ同方向となるように梁合わせたＬＶＬ材（Laminated veneer Lumber）等の木質の材料を用いることができる。
【符号の説明】
【００３８】
１：木質部材，  １ａ：木質部材の端部に形成されたスリット，  ２：本体部，  ３：フランジ部，  ３ａ：フランジ部の端縁，  ４：拘束部材，  ４ａ：フランジ部の底面に当接される台形部分，  ４ｂ：フランジ部の端面に当接される部分，  ４ｃ：フランジ部の側面に当接される部分，  ５：ビス，  ５ａ：ビス頭部の張り出し部，
１１：柱，  １１ａ：柱の上端部に形成された切り欠き，  １２：スクリュー部材，  １３：接合金具，  １４：梁，  １５：ドリフトピン，
２１：木質部材，  ２２：本体部，  ２３：フランジ部，  ２４：拘束部材，  ２５：ビス
【図１】
2019065670.tif 000003
【図２】
2019065670.tif 000004
【図３】
2019065670.tif 000005
【図４】
2019065670.tif 000006
【図５】
2019065670.tif 000007
【図６】
2019065670.tif 000008
【図７】
2019065670.tif 000009
【図８】
2019065670.tif 000010
【図９】
2019065670.tif 000011
【図１０】
2019065670.tif 000012
【図１１】
2019065670.tif 000013
【図１２】
2019065670.tif 000014